(57)【特許請求の範囲】
【請求項１】
バーナ本体の上面に設けた円環状のバーナベース上にバーナキャップを載設し、バーナキャップの外周部とバーナベースの上面との間にバーナキャップの周方向に多数の炎孔を列設したガスコンロ用バーナにおいて、バーナベースにバーナベースの下面側に連通する点火用炎孔を形成し、バーナベースの下面側に点火用炎孔への点火手段を設け、バーナ本体のバーナベースと一体に外周に延出した鍔部を設け、この鍔部に上下に貫通する穴部をバーナキャップの外周側に設け、点火用炎孔からバーナベースの下面側に出た点火炎を穴部にてバーナキャップの外周に導くようにし、点火用炎孔をバーナベースに穿設した上下に貫通するスリットで形成し、このスリットをバーナベースの周方向と直交する方向に長くなると共にその端部がバーナベースの外周端まで至るようにして成ることを特徴とするガスコンロ用バーナ。
【請求項２】
点火用炎孔をバーナベースに穿設したスリットで形成し、バーナベースの上面側にガスがスリットに行くようにガスを誘い込む誘い込み部を設け、バーナ本体に装着した点火プラグの放電電極をスリットの下面側でスリットの近傍に設けた点火ターゲットに臨ませることにより点火手段を構成して成ることを特徴とする請求項１記載のガスコンロ用バーナ。
【請求項３】
五徳の複数の五徳脚と対応する炎孔を火炎の小さい五徳用炎孔とし、点火用炎孔を上記複数の五徳脚の一つに対応させて成ることを特徴とする請求項１または請求項２記載のガスコンロ用バーナ。
【発明の詳細な説明】
【０００１】
【発明の属する技術分野】
本発明は、ガスコンロ用バーナの構造に関し、詳しくはバーナの点火部の構造に関するものである。
【０００２】
【従来の技術】
図１７、図１８は従来のガスコンロ用バーナの構造を示す。板金等で形成せるバーナ本体ａのバーナベースｂの上にバーナキャップｃを着脱自在に載置してあり、バーナキャップｃの外周部とバーナベースｂとの間に周方向に多数の炎孔ｄを設けてある。バーナ本体ａの混合管ｅの基端にはガスノズルｆを設けてあり、ガスノズルｆから燃料ガスを供給すると共に混合管ｅの基端から一次空気を吸入して混合管ｅにて燃料ガスと一次空気が混合されるようになっている。そして混合管ｅで混合されたガスがバーナキャップｃとバーナベースｂとの間の環状の空間ｈを介して炎孔ｄから噴出するようになっている。上記多数の炎孔ｄのうち１つが点火用炎孔ｄ1 となっており、この点火用炎孔ｄ1 の外周に点火室ｉを設けてある。バーナ本体ａには点火プラグｊを取り付け金具ｋにて取り付けてあり、点火プラグｊの放電電極ｍを点火室ｉに臨ませてある。バーナキャップｃには点火室ｉに臨むようにターゲット電極ｎを設けてあり、放電電極ｍとターゲット電極ｎとを対向させてある。上記点火用炎孔ｄ1 以外の炎孔ｄは通常の火炎を形成する主炎孔ｄ2 と、五徳の五徳脚と対応する部分の五徳用炎孔となっている。主炎孔ｄ2 は大きな火炎を形成するためにガスの噴出流量を大きくしてあり、五徳用炎孔は小さな火炎を形成するためにガスの噴出流量を小さくしてある。図中ｐは燃焼の有無を検知するサーモカップルである。
【０００３】
しかしてガスが供給されると、点火用炎孔ｄ1 、主炎孔ｄ2 、五徳用炎孔からガスが噴出され、一方放電電極ｍとターゲット電極ｎとの間で発生するスパークで点火用炎孔ｄ1 から噴出するガスに点火されて点火炎が形成され、点火炎にて主炎孔ｄ2 から噴出するガスに点火されて主炎孔ｄ2 に大きい（長い）主火炎が形成されると共に五徳用炎孔から噴出するガスに点火されて五徳用炎孔に小さい（短い）五徳用火炎が形成される。
【０００４】
【発明が解決しようとする課題】
ところで、上記の従来例にあっては、点火用炎孔ｄ1 には点火に最も適当なガス量を供給して点火炎が形成されるが、この点火炎は点火に適当な火炎であるために五徳用火炎に比べて大きく（長く）、また主火炎とも大きさ（長さ）が異なり、点火炎は他の部分の火炎と不揃いになって目立つようになり、バーナ全体の火炎が不均一で外観上好ましくないという問題があった。
【０００５】
また点火室ｉがバーナキャップｃとバーナベースｂとの間にあって、点火プラグｊをバーナ本体ａに取り付けると共にターゲット電極ｎをバーナキャップｃに設ける構造になっているために、点火プラグｊとターゲット電極ｎとの間に取り付け金具ｋ、バーナ本体ａ、バーナキャップｃという多くの部材を介在することとなり、点火プラグｊの放電電極ｍとターゲット電極ｎとの放電ギャップのばらつきが大きく（多くの部材を介在させると、個々の精度及びこれらの部材の組み立て精度によりばらつきが大きくなる）、そのために点火性能が不安定になるという問題があった。
【０００６】
本発明は叙述の点に鑑みてなされたものであって、火炎の外観を向上でき、しかも点火性能を向上できるガスコンロ用バーナを提供するにある。
【０００７】
【課題を解決するための手段】
上記課題を解決するために本発明の請求項１のガスコンロ用バーナは、バーナ本体１の上面に設けた円環状のバーナベース２上にバーナキャップ３を載設し、バーナキャップ３の外周部とバーナベース２の上面との間にバーナキャップ３の周方向に多数の炎孔４を列設したものにおいて、バーナベース２にバーナベース２の下面側に連通する点火用炎孔４ａを形成し、バーナベース２の下面側に点火用炎孔４ａへの点火手段を設け、バーナ本体１のバーナベース２と一体に外周に延出した鍔部８を設け、この鍔部８に上下に貫通する穴部９をバーナキャップ３よりも外周側に設け、点火用炎孔４ａからバーナベース２の下面側に出た点火炎を穴部９にてバーナキャップ３の外周に導くようにして成ることを特徴とする。点火用炎孔４ａより下方に噴出するガスに点火手段にて点火されて点火用炎孔４ａから伸びるように点火炎が形成され、この点火炎がバーナベース２の下面側からバーナキャップ３の外周に導かれて点火炎にて点火用炎孔４ａ以外の炎孔４から噴出するガスに点火される。このとき点火用炎孔４ａから出る点火炎はバーナベース２の下面側からバーナキャップ３の外周に回るために点火炎の先端がバーナキャップ３の外周に殆ど突出せず、従来のように点火炎が目立つことなく、バーナキャップ３の全周の火炎が揃って火炎の外観が向上する。また、バーナベース２の外周にバーナベース２と一体になるように鍔部８を設けることでバーナキャップ３の外周部の下方を外観よくできると共に煮汁等が下に零れるのを防止できる。このようにバーナベース２の周囲に鍔部８を設けてもバーナベース２の下面側の点火炎が穴部９からバーナキャップ３の外周部に至って点火される。
【０００８】
また、点火用炎孔をバーナベースに穿設した上下に貫通するスリットで形成し、このスリットをバーナベースの周方向と直交する方向に長くなると共にその端部がバーナベースの外周端まで至るようにして成ることを特徴とする。
【０００９】
また本発明の請求項２のガスコンロ用バーナは、請求項１において、点火用炎孔４ａをバーナベース２に穿設したスリット５で形成し、バーナベース２の上面側にガスが点火用炎孔４ａに行くようにガスを誘い込む誘い込み部１０を設け、バーナ本体１に装着した点火プラグ６の放電電極６ａをスリット５の下面側でスリット５の近傍に設けた点火ターゲットに臨ませることにより点火手段を構成して成ることを特徴とする。バーナベース２の上面側にガスがスリット５に行くようにガスを誘い込む誘い込み部１０を設けて成ることを特徴とする。バーナキャップ３の外周部とバーナベース２の上面との間から外周方向に噴出しようとするガスを誘い込み部１０でスリット５に誘い込んでガスをスムーズにスリット５に導くことができ、点火用のガスを安定よく供給できる。また結果的に誘い込み部１０はバーナベース２の上面に飛び出すためにスリット５の部分への煮汁の浸入を抑えることができ、点火の信頼性が向上する。またバーナベース２の下面側で放電電極６ａと点火ターゲット７との間に発生するスパークにてスリット５から下方に噴出するガスに点火されてスリット５から伸びるように点火炎が形成される。このとき、点火プラグ６がバーナ本体１に取り付けられ、点火ターゲット７がバーナ本体１のバーナベース２に形成されるために点火プラグ６と点火ターゲット７との間に介在される部材が少なく、点火プラグ６の放電電極６ａと点火ターゲット７との間の放電ギャップのばらつきが小さくなり、点火性能を安定できる。
【００１０】
また本発明の請求項３のガスコンロ用バーナは、請求項１または請求項２において、五徳１１の複数の五徳脚１１ａと対応する炎孔４を火炎の小さい五徳用炎孔４ｂとし、点火用炎孔４ａを上記複数の五徳脚１１ａの一つに対応させて成ることを特徴とする。五徳１１の五徳脚１１ａと対応する部分では五徳用炎孔４ｂで小さい火炎が形成されるが、点火用火炎も適宜の五徳脚１１ａの部分で小さく形成されて点火炎と五徳用炎孔４ｂからの小さい火炎とが揃ってバーナ全体の火炎の外観がよくなる。
【００１１】
【発明の実施の形態】
バーナー本体１は図１、図２、図３に示すように混合管１３を一体に有するものであり、本例の場合アルミニウムにて形成されている。混合管１３の基端に従来例と同様に燃料ガスを供給するガスノズルが配置され、ガスノズルから燃料ガスを供給すると、混合管１３の基端から一次空気が吸入されて混合管１３内で燃料ガスと一次空気とが混合されるようになっている。バーナ本体１の上面には円環状のバーナベース２を設けてあり、このバーナベース２の上には円環状のバーナキャップ３を載設してある。本例の場合、バーナキャップ３もアルミニウムにて形成されている。バーナキャップ３の下面には図８、図９に示すように周方向に多数の炎孔用溝１４を穿設してあり、この炎孔用溝１４にてバーナキャップ３とバーナベース２との間に周方向に多数の炎孔４が形成される。上記炎孔用溝１４には深さの深い主炎孔用溝１４ａと深さの浅い五徳炎孔用溝１４ｂがあり、バーナキャップ３の略全周に亙って等間隔に多数列設してあるが、複数の（本例の場合５個）の五徳炎孔用溝１４ｂが所定の間隔（本例の場合７２度）を隔てて部分的に設けてある。そして主炎孔用溝１４ａのある部分では主炎孔４ｃが形成され、五徳炎孔用溝１４ｂのある部分では五徳用炎孔４ｂが形成される。
【００１２】
バーナベース２の外周から図４、図５に示すように外方に向けて断面が略円弧状となる鍔部８を一体に連出してあり、さらに鍔部８から外周に向けて受け段部１６を一体に連出してある。ガラスのような材料にて形成せる天板１７には鍔部８の外径より径の大きな円形の開口１８を設けてあり、天板１７の開口１８縁を受け段部１６に載置してある。そして受け段部１６の上に上記天板１７の開口１８縁を介して円環状の押さえプレート１９を載置してあり、押さえプレート１９と受け段部１６との間に天板１７の開口１８縁を挟持して天板１７を取り付けてある。押さえプレート１９には周方向に複数個（本例の場合５個）の取り付け孔３５を等間隔（本例の場合７２度の間隔）に穿孔してあり、受け段部１６には各取り付け孔３５に対応するように取り付け用雌ねじ孔３６を穿孔してある。取り付けネジ２０は図１２に示すように雄ねじ部２０ａの頭部に有底筒状のキャップ２０ｂを一体に設けると共にキャップ２０ｂの底部に十字状のドライバー溝２０ｃを設けて形成されており、この取り付けネジ２０にて押さえプレート１９を受け段部１６を取り付けてある。取り付けネジ２０で固定するのは本例の場合、５箇所のうち３箇所である。取り付けネジ２０で取り付けたとき図１１に示すように雄ねじ部２０ａが取り付け用雌ねじ孔２０ａに螺合され、キャップ２０ｂが取り付け孔３５に嵌合される。５箇所のうち残りの２箇所は取り付けネジ２０で取り付けられず、取り付け孔３５には図１３に示すように上記キャップ２０ｂと同様の有底筒状のキャップ２１が嵌合されて取り付けられる。
【００１３】
また五徳１１は本例の場合、５枚の五徳爪１１ｂを周方向に等間隔（７２度の間隔）に配置して形成されており、５枚の五徳爪１１ｂにバーナキャップ３の上方を覆う円盤状の受け皿２２を一体に設けてある。各五徳爪１１ｂの下部は五徳脚１１ａとなっており、各五徳脚１１ａの下端を上記押さえプレート１９や天板１７の上に載置できるようになっている。各五徳脚１１ａの下端には位置決め突片１１ｃを突設してあり、位置決め突片１１ｃを上記キャップ２０ｂやキャップ２１に挿入して五徳１１の位置決めができるようになっている。上記のように五徳１１をセットした状態で各五徳脚１１ａと上記五徳用炎孔４ｂとが対応するようになっている。
【００１４】
上記５個の五徳用炎孔４ｂのうち、適宜の１つの五徳用炎孔４ｂに対応する部分には点火用炎孔４ａが設けられる。この点火用炎孔４ａを設けるには図６に示すようにバーナベース２に上下に貫通するスリット５を穿孔して形成されている。本例の場合、スリット５が周方向と直交する方向に長くなるように設けられており、スリット５の端部がバーナベース２の外周端まで至っている。バーナベース２の上面にはスリット５の両側でガスをスリット５に誘う込むガイドをする誘い込み部１０を突設してあり、誘い込み部１０の上面を水平面にしてある。スリット５は、誘い込み部１０がある部分（バーナベース２の外周側）では幅の狭い細巾部５ａとなっており、誘い込み部１０のない部分（バーナベース２の内周側）では巾の広い広巾部５ｂとなっている。バーナベース２のスリット５の下方の空間は図７に示すように点火室２３となっており、スリット５の近傍から点火室２３内に臨むように点火ターゲット７を突設してある。バーナベース２の下面側でバーナ本体１に取り付け金具２４にて点火プラグ６を取り付けてあり、点火プラグ６の放電電極６ａを点火室２３に臨ませて放電電極６ａを点火ターゲット７に対向させてある。鍔部８の上記点火室２３に対応する部分には上方に張り出した張り出し部３７を設けてあり、この張り出し部３７の上部には上下に貫通するように長穴状の穴部９を設けてある。この穴部９は上記点火室２３に連通していると共にスリット５の細巾部５ａに連通している。
【００１５】
しかして混合管１３からバーナキャップ３とバーナベース２との間の環状の空間２５にガスが供給されると、主炎孔４ｃ及び五徳用炎孔４ｂからガスが噴出され、一方、１つの五徳用炎孔４ｂと対応する点火用炎孔４ａではスリット５から下方の点火室２３にガスが噴出される。このとき、放電電極６ａと点火ターゲット７との間でスパークが発生されてガスに点火され、スリット５から点火炎が形成される。この点火炎は点火室２３から穴部９を介して上方に吐出して五徳用炎孔４ｂや主炎孔４ｃから噴出するガスに点火される。このとき主炎孔４ｃから出る火炎は大きく（長く）、五徳用炎孔４ｂから出る火炎は小さい（短い）。そして五徳用炎孔４ｂから出る火炎が小さいために五徳１１部分が過熱されるのを防止できる。また点火炎はスリット５から下方の点火室２３を介して穴部９から上方に吐出するために点火炎が上から見たとき殆ど隠され、五徳用炎孔４ｂからの火炎と識別できなくなる。このため、点火炎が目立つことなく、全体の火炎が揃って外観よい燃焼状態が得られる。またバーナ本体１のバーナベース２に点火ターゲット７を設けると共にバーナ本体１に取り付け金具２４にて点火プラグ６を取り付けたために、点火ターゲット７と点火プラグ６との間に介在される部材が少なく、点火ターゲット７と放電電極６ａとの間の放電ギャップを精度よくできて点火性能を向上できる。またバーナベース２の下方で点火する構造になっているためにバーナベース２にバーナキャップ３が正しくセットされなくてバーナキャップ３が浮いたりした場合にはガスに点火されることがない。つまり、バーナキャップ３が浮いていると、五徳用炎孔４ｂの方からガスが噴出しやすくなってスリット５の方にガスが殆ど行くことなく、ガスが点火されることがない。バーナキャップ３が浮いた状態で点火されると、逆火が起こりやすく、逆火が起こると、アルミニウムのように融点の低い金属にて形成せるバーナキャップ３やバーナベース２が解けるという問題が起こることがあるが、上記のようにバーナキャップ３が浮いた状態で点火することがないと、上記問題が発生することがない。またバーナベース２の外周にバーナベース２と一体に鍔部８を設けてあるが、この鍔部８を設けてあると、バーナキャップ３の外周部の下方を外観よくできると共に煮汁等が下に零れるのを防止できる。このようにバーナベース２の周囲に鍔部８を設けてもバーナベース２の下面側の点火炎が穴部９からバーナキャップ３の外周部に至って点火される。またバーナベース２の上面側にガスがスリット５に行くようにガスを誘い込む誘い込み部１０を設けてあるためにバーナキャップ３の外周部とバーナベース２の上面との間から外周方向に噴出しようとするガスを誘い込み部１０でスリット５に誘い込んでガスをスムーズにスリット５に導くことができ、点火用のガスを安定よく供給できる。また結果的に誘い込み部１０はバーナベース２の上面に飛び出すためにスリット５の部分への煮汁の浸入を抑えることができ、点火の信頼性が向上する。なお、上記例の場合、バーナベース２の外周に縁部８があるために縁部８に穴部９を設けて上方に点火炎を導くようになっているが、縁部８を設けない場合にはバーナベース２の外周から上方に点火炎が行くために穴部９のようなものが必要ない。
【００１６】
またバーナベース２の内周の適所にはバーナベース２の上面より突出する円柱状のボス２７を設けてあり、ボス２７には上面からネジ孔２７ａを穿孔してある。バーナキャップ３の内周には上記円柱状のボス２７に対応する半円状の切り欠き２８を設けてあり、バーナキャップ３をバーナベース２上に所定の状態でセットしたとき切り欠き２８と円柱状のボス２７が嵌合している。そして図１０に示すようにボス２７のネジ孔２７ａのビス状の止めネジ２９が螺合され、止めネジ２９の頭部２９ａを切り欠き２８縁の上方に位置させてバーナキャップ３が上に外れないように止められる。このようにボス２７に切り欠き２８を嵌合することでバーナキャップ３が周方向に位置決めされ、五徳用炎孔４ｂと五徳脚１１ａの位置がずれることがない。また止めネジ２９で止められることで、バーナキャップ３が上に浮き上がったりすることが生じない。またボス２７に切り欠き２８を嵌合した状態でボス２７の上端がバーナキャップ３の上面より僅かに突出しており、止めネジ２９を締め付けてバーナキャップ３を固定したときバーナキャップ３に応力がかかることがなくなる。
【００１７】
またバーナ本体１に点火プラグ６を取り付け金具２４にて次のように取り付けている。取り付け金具２４は図１４、図１５に示すようにバネ製のある金属板材にて形成されている。取り付け片２４ａには一対の取り付け孔２４ｂを穿孔してあり、取り付け片２４ａの一端から取り付け片２４ａに直交するように連結片２４ｃを一体に連出してあり、連結片２４ｃから上記取り付け片２４ａと平行に対応する係止片２４ｄを一体に突設してあり、連結片２４ｃから連結片２４ｃや取り付け片２４ａに対して直交する突片２４ｅを突設してあり、突片２４ｅに略く字状の係止バネ片２４ｆを切り起こし形成してある。バーナ本体１の下面には一対のボス３０を設けてあり、ボス３０にネジ孔３０ａを穿孔してある。そして取り付け片２４ａをボス３０の下面に当接してネジ孔３０ａと取り付け孔２４ｂと対応させ、取り付け孔２４ｂからネジ孔３０ａに取り付けネジ３１を螺合してバーナ本体１に取り付け金具２４を取り付けてある。点火プラグ６の絶縁碍子６ｂには角柱状の止め部６ｃを一体に設けてある。しかして点火プラグ６を取り付け金具２４に取り付けるにあたっては、取り付け金具２４の突片２４ｅと取り付け片２４ａや係止片２４ｄとの間に点火プラグ６の止め部６ｃを圧入する。すると、点火プラグ６の角柱状の止め部６ｃの外面の一面が取り付け片２４ａに当たると共に止め部６ｃの両端に取り付け片２４ａや係止片２４ｄが係止し、係止バネ片２４ｆが止め部６ｃの外面に弾接係止して点火プラグ６が取り付けられる。このように点火プラグ６が取り付けられると、点火プラグ６がワンタッチで取り付け金具２４に取り付けることができると共に点火プラグ６を所定位置に位置決めして取り付けることができる。
【００１８】
バーナ本体１の鍔部８の穴部９の近傍には図１６に示すように差し込み孔３２を上下に貫通するように穿孔してあり、この差し込み孔３２には火炎の有無を検知するサーモカップル３３を装着してある。
【００１９】
【発明の効果】
本発明の請求項１の発明は、叙述の如くバーナベースにバーナベースの下面側に連通する点火用炎孔を形成し、バーナベースの下面側に点火用炎孔への点火手段を設け、バーナ本体のバーナベースと一体に外周に延出した鍔部を設け、この鍔部に上下に貫通する穴部をバーナキャップよりも外周側に設け、点火用炎孔からバーナベースの下面側に出た点火炎を穴部にてバーナキャップの外周に導くようにし、点火用炎孔をバーナベースに穿設した上下に貫通するスリットで形成し、このスリットをバーナベースの周方向と直交する方向に長くなると共にその端部がバーナベースの外周端まで至るようにしているので、点火用炎孔より下方に噴出するガスに点火手段にて点火されて点火用炎孔から伸びるように点火炎が形成され、この点火炎がバーナベースの下面側からバーナキャップの外周に導かれて点火炎にて点火用炎孔以外の炎孔から噴出するガスに点火されるものであって、点火用炎孔から出る点火炎はバーナベースの下面側からバーナキャップの外周に回るために点火炎の先端がバーナキャップの外周に殆ど突出せず、従来のように点火炎が目立つことなく、バーナキャップの全周の火炎が揃って火炎の外観が向上するものである。また、バーナベースの外周にバーナベースと一体になるように鍔部を設けているためにバーナキャップの外周部の下方を外観よくできると共に煮汁等が下に零れるのを防止できるものであり、しかもバーナベースの周囲に鍔部を設けても鍔部に穴部を設けているためにバーナベースの下面側の点火炎が穴部からバーナキャップの外周部に至って点火されるものである。
【００２１】
また本発明の請求項２の発明は、請求項１において、点火用炎孔をバーナベースに穿設したスリットで形成し、バーナベースの上面側にガスがスリットに行くようにガスを誘い込む誘い込み部を設けているので、バーナキャップの外周部とバーナベースの上面との間から外周方向に噴出しようとするガスを誘い込み部でスリットに誘い込んでガスをスムーズにスリットに導くことができて点火用のガスを安定よく供給できるものであり、また結果的に誘い込み部はバーナベースの上面に飛び出すためにスリットの部分への煮汁の浸入を抑えることができて点火の信頼性が向上するものであり、バーナ本体に装着した点火プラグの放電電極をスリットの下面側でスリットの近傍に設けた点火ターゲットに臨ませることにより点火手段を構成したので、バーナベースの下面側で放電電極と点火ターゲットとの間に発生するスパークにてスリットから下方に噴出するガスに点火されてスリットから伸びるように点火炎が形成されものであって、点火プラグがバーナ本体に取り付けられ、点火ターゲットがバーナ本体のバーナベースに形成されるために点火プラグと点火ターゲットとの間に介在される部材が少なく、点火プラグの放電電極と点火ターゲットとの間の放電ギャップのばらつきが小さくなり、点火性能を安定できるものである。
【００２２】
また本発明の請求項３の発明は、請求項１または請求項２において、五徳の複数の五徳脚と対応する炎孔を火炎の小さい五徳用炎孔とし、点火用炎孔を上記複数の五徳脚の一つに対応させているので、五徳の五徳脚と対応する部分では五徳用炎孔で小さい火炎が形成されるが、点火用火炎も適宜の五徳脚の部分で小さく形成されて点火炎と五徳用炎孔からの小さい火炎とが揃ってバーナ全体の火炎の外観がよくなるものである。
【図面の簡単な説明】
【図１】本発明の実施の形態の一例の一部省略断面図である。
【図２】同上の五徳を省略した平面図である。
【図３】同上のバーナキャップを破断しない状態の断面図である。
【図４】同上のバーナ本体の混合管を省いた状態を示し、（ａ）は平面図、（ｂ）は底面図である。
【図５】（ａ）は図４（ｂ）のＡ−Ｏ−Ｂ線断面図、（ｂ）は図４（ｂ）のＣ−Ｏ−Ｄ線断面図である。
【図６】同上のスリットや穴部の詳細を示し、（ａ）は平面図、（ｂ）は（ａ）のＥ−Ｅ線断面図である。
【図７】同上の点火部分の拡大断面図である。
【図８】同上のバーナキャップを示し、（ａ）は平面図、（ｂ）は底面図である。
【図９】図８（ｂ）のＦ−Ｏ−Ｇ線断面図である。
【図１０】同上のバーナキャップのバーナベースへの固定状態を示し、（ａ）は止めネジを省略した平面図、（ｂ）は断面図である。
【図１１】同上のバーナ本体と天板の固定部分を示す断面図である。
【図１２】図１１の取り付けネジを示し、（ａ）は平面図、（ｂ）は正面から見た半断面図である。
【図１３】同上のキャップを示し、（ａ）は平面図、（ｂ）は断面図である。
【図１４】同上の点火プラグの取り付け構造を示す下方から見た分解斜視図である。
【図１５】同上の取り付け金具に点火プラグを取り付けた状態を示す斜視図である。
【図１６】同上のサーモカップルの取り付け部分を示す断面図である。
【図１７】従来例を示し、（ａ）は一部切欠平面図、（ｂ）は（ａ）のＨ−Ｏ−Ｊ線断面図である。
【図１８】図１７（ａ）のＫ−Ｏ線断面図である。
【符号の説明】
１  バーナ本体
２  バーナベース
３  バーナキャップ
４  炎孔
４ａ  点火用炎孔
４ｂ  五徳用炎孔
５  スリット
６  点火プラグ
６ａ  放電電極
７  点火ターゲット
８  鍔部
９  穴部
１０  誘い込み部
１１  五徳
１１ａ  五徳脚
【図１】
0003914304.tif 000002
【図２】
0003914304.tif 000003
【図３】
0003914304.tif 000004
【図４】
0003914304.tif 000005
【図５】
0003914304.tif 000006
【図６】
0003914304.tif 000007
【図７】
0003914304.tif 000008
【図８】
0003914304.tif 000009
【図９】
0003914304.tif 000010
【図１０】
0003914304.tif 000011
【図１１】
0003914304.tif 000012
【図１２】
0003914304.tif 000013
【図１３】
0003914304.tif 000014
【図１４】
0003914304.tif 000015
【図１５】
0003914304.tif 000016
【図１６】
0003914304.tif 000017
【図１７】
0003914304.tif 000018
【図１８】
0003914304.tif 000019